(57)【要約】【課題】家具本体の荷重を支持可能でありながら、家具のデザイン性を得ることができる家具脚柱を備えた家具を提供すること。【解決手段】床面から立設し、家具本体２の周縁部１０を支持する脚柱４を備える家具１であって、脚柱４の長手方向の略全長に亘って少なくとも１本の垂直突条２０が、家具本体２に対して外方を向いて突設されている。【選択図】図２
2009153886.tif 000002
【特許請求の範囲】
【請求項１】
床面から立設し、家具本体の周縁部を支持する脚柱を備える家具であって、
前記脚柱の長手方向の略全長に亘って少なくとも１本の垂直突条が、前記家具本体に対して外方を向いて突設されていることを特徴とする家具。
【請求項２】
前記脚柱は、断面視で略方形を成す角柱と、前記垂直突条と、で構成され、前記角柱は、平面視で対向角が前記家具本体の内方と外方を向くように配置され、前記角柱の対向角を結ぶ対角線の延長線上に１本の前記垂直突条が突設することを特徴とする請求項１に記載の家具。
【請求項３】
前記垂直突条の前記角柱からの突出寸法は、前記角柱の断面視における一辺の長さよりも短く形成されているとともに、前記垂直突条の基端部には、前記脚柱を接地部材によって自立させるための取付部が設けられていることを特徴とする請求項２に記載の家具。
【請求項４】
前記脚柱は、平面視で枠状を成して上方から前記家具本体を載置する支持フレームを支持しており、前記支持フレームは、該支持フレームの外側面から外方に突出するように該支持フレームの長手方向に沿って延設された水平突条を有し、前記脚柱と前記支持フレームとの連結状態において、前記水平突条と前記垂直突条の端部同士が連続し、前記水平突条の先端部と前記垂直突条の外側端部が面一となる連続面を形成することを特徴とする請求項１ないし３のいずれかに記載の家具。
【請求項５】
前記角柱及び前記垂直突条の内部は、仕切部によって互いに独立して中空に形成されていることを特徴とする請求項２ないし４のいずれかに記載の家具。
【発明の詳細な説明】
【技術分野】
【０００１】
本発明は、床面から立設し、家具本体の周縁部を支持する脚柱を備える家具に関する。
【背景技術】
【０００２】
従来、家具の脚体として、上下方向に立設された脚杆（脚柱）に側方から横杆を接続し、更に脚杆に横杆と直角を成すように側方から側杆を接続することで、平面視方形状のフレームを形成し、このフレームに座体（家具本体）を載置することで、座体を下方から支持しているものがある（例えば、特許文献１参照）。
【０００３】
【特許文献１】特開２００７−５７０１０号公報（第６頁、第４図）
【発明の開示】
【発明が解決しようとする課題】
【０００４】
しかしながら、特許文献１に記載の家具の脚体にあっては、座体（家具本体）の荷重を支持するために、荷重を支持するのに充分な太さを有している脚杆（脚柱）が必要であるが、脚杆を太くすると家具のデザイン性を得ることができなくなるという問題があった。
【０００５】
本発明は、このような問題点に着目してなされたもので、家具本体の荷重を支持可能でありながら、家具のデザイン性を得ることができる家具脚柱を備えた家具を提供することを目的とする。
【課題を解決するための手段】
【０００６】
前記課題を解決するために、本発明の請求項１に記載の家具は、
床面から立設し、家具本体の周縁部を支持する脚柱を備える家具であって、
前記脚柱の長手方向の略全長に亘って少なくとも１本の垂直突条が、前記家具本体に対して外方を向いて突設されていることを特徴としている。
この特徴によれば、家具本体の周縁部に垂直突条が突設された脚柱を備えることで、家具本体から荷重がかかる脚柱に対して、垂直突条が突設された方向の曲げ剛性を高めることがきるので、脚柱をその分細く形成することができる。その場合、垂直突条を家具本体に対して外方を向いて突設させると、垂直突条が家具の外側方より視認可能となるので、脚柱の細さを際立たせる視覚効果を与えることができ、家具のデザイン性を得ることができる。
【０００７】
本発明の請求項２に記載の家具は、請求項１に記載の家具であって、
前記脚柱は、断面視で略方形を成す角柱と、前記垂直突条と、で構成され、前記角柱は、平面視で対向角が前記家具本体の内方と外方を向くように配置され、前記角柱の対向角を結ぶ対角線の延長線上に１本の前記垂直突条が突設することを特徴としている。
この特徴によれば、脚柱の家具本体から荷重がかかる全方向において曲げ剛性を高めることができるので、安定して家具本体を支持することができる。
【０００８】
本発明の請求項３に記載の家具は、請求項２に記載の家具であって、
前記垂直突条の前記角柱からの突出寸法は、前記角柱の断面視における一辺の長さよりも短く形成されているとともに、前記垂直突条の基端部には、前記脚柱を接地部材によって自立させるための取付部が設けられていることを特徴としている。
この特徴によれば、接地部材が設けられる位置が家具の外方側寄りとなるので、家具を安定して支持することができる。
【０００９】
本発明の請求項４に記載の家具は、請求項１ないし３のいずれかに記載の家具であって、
前記脚柱は、平面視で枠状を成して上方から前記家具本体を載置する支持フレームを支持しており、前記支持フレームは、該支持フレームの外側面から外方に突出するように該支持フレームの長手方向に沿って延設された水平突条を有し、前記脚柱と前記支持フレームとの連結状態において、前記水平突条と前記垂直突条の端部同士が連続し、前記水平突条の先端部と前記垂直突条の外側端部が面一となる連続面を形成することを特徴としている。
この特徴によれば、支持フレームの水平突条と、脚柱の垂直突条とにより、支持フレームや脚柱を太くすること無く剛性を高めることができるばかりか、脚柱と支持フレームとの連結状態において水平突条と垂直突条とが連続することにより、家具のデザイン性が向上する。
【００１０】
本発明の請求項５に記載の家具は、請求項２ないし４のいずれかに記載の家具であって、
前記角柱及び前記垂直突条の内部は、仕切部によって互いに独立して中空に形成されていることを特徴としている。
この特徴によれば、角柱と垂直突条の内部に形成された中空を仕切部により仕切ることによって、脚柱を軽量化しつつ、強度を確保することができる。
【発明を実施するための最良の形態】
【００１１】
本発明に係る家具を実施するための最良の形態を実施例に基づいて以下に説明する。
【実施例１】
【００１２】
本発明の実施例を図面に基づいて説明すると、先ず図１は、本発明が適用されたテーブルの全体像を示す斜視図であり、図２は、図１のテーブルを示す要部拡大組立斜視図であり、図３は、脚体を下方から見上げた状態を示す横断底面図であり、図４は、図３のＡ−Ａ断面図であり、図５は、図３のＢ−Ｂ断面図であり、図６は、図４のＣ−Ｃ断面図であり、図７は、テーブルの角部の形状を示す斜視図であり、図８は、ケーブルカバーを示す斜視図であり、図９（ａ）は、図９（ｃ）のＤ−Ｄ断面図であり、図９（ｂ）は、図９（ｃ）のＥ−Ｅ断面図であり、図９（ｃ）は脚体におけるケーブル溝の開口が閉塞されている状態を示す一部破断正面図であり、図１０（ａ）は、図１０（ｃ）のＦ−Ｆ断面図であり、図１０（ｂ）は、図１０（ｃ）のＧ−Ｇ断面図であり、図１０（ｃ）は、脚体におけるケーブル溝が開放されている状態を示す一部破断正面図である。以下、テーブルを使用する使用者側をテーブルの外側、天板の下方をテーブルの内側として説明する。
【００１３】
図１の符号１は、本発明の適用された家具としてのテーブルであり、このテーブル１は、例えば企業の会議室等で使用される会議用テーブルである。図１及び図２に示すように、このテーブル１は主に、上面にノートパソコン２５等の電子機器や会議用の書類等を載置する本実施例における家具本体としての天板２と、この天板２を上方に支持する支持フレーム３と、床面から立設して支持フレーム３を四隅から所定の高さ位置に支持する本実施例における脚柱としての四本の脚体４と、から構成されている。尚、これら支持フレーム３及び脚体４は、ともにテーブル本体を構成するフレーム（骨組み）である。
【００１４】
テーブル１の構成について詳述すると、図１に示すように、天板２は、上面が長方形状に形成された、略直方体形状の板体である。また、図２及び図４に示すように、天板下面５における外周縁部には、垂直面６と、水平面７と、垂直面６と水平面７を接続するラウンド面８と、からなる段部９がその全周に亘って形成されている。そして、段部９が形成されたことにより、天板２の周縁は水平方向に向けて凸となる肉薄外周縁部１０に形成されている。尚、このような段部９は、例えば切削加工等により形成されている。
【００１５】
図３及び図４に示すように、支持フレーム３は、天板２を支持可能なように平面視長方形状に配置されている。尚、支持フレーム３は、上方に天板２を支持すると、平面視において天板２によって被覆される大きさに形成されている。
【００１６】
支持フレーム３は、直線状に形成され、脚体４間を連結する４本の連結フレーム１１と、各脚体４の上部に取り付けられ、２本の連結フレーム１１の端部が床面と平行且つ互いに直角に連結される４個のブラケット１２と、によって構成されている。この連結フレーム１１は、図２及び図５に示すように、アルミ材により押出成形で製造される角管形状の部材である。
【００１７】
図３及び図４に示すように、この連結フレーム１１の長手方向の両端部近傍の下面には、下方に向けて連結フレーム１１内部の中空と連通する開口１１ａが形成されている。この開口１１ａには、ボルト１２によって連結フレーム１１をブラケット１２に連結するためのガイド部材１３が嵌合されている。このガイド部材１３は、ボルト１２をブラケット１２に向けて斜め上方にガイドするようになっており、連結フレーム１１の下面に溶接若しくは螺着等の手段により固着されている。また、連結フレーム１１の長手方向の両端部は、ブラケット１２の後述する連結凸部１４が挿嵌される連結穴１１ｂとして機能する。
【００１８】
図２及び図５に示すように、連結フレーム１１の上面外縁部には、上方に向けて突出するガイド部１５が、連結フレーム１１の長手方向に沿って延設されている。ガイド部１５は縦断面略長方形状に形成されており、ガイド部１５の上面から連結フレーム１１の上面までのガイド部１５の上下寸法は、天板２の肉厚部２ａの下面５からラウンド面８までの垂直面６の上下寸法と略同一となっている。
【００１９】
更に、ガイド部１５の外側面１５ａ上部からは、外方に向けて水平に突出する水平突条１６が、連結フレーム１１の長手方向に沿って延設されている。水平突条１６の外側端部としての外側端面１６ａと天板２の肉薄外周縁部１０の外側端部としての外側端面１０ａは、上下方向に略面一となるように位置しており、つまり、水平突条１６の外側端面１６ａが天板２の肉薄外周縁部１０の外側端面１０ａよりも外方に張り出さないように形成されている。更に、水平突条１６の外側端面１６ａからは、この天板２の肉薄外周縁部１０の外側端面１０ａと略面一となる位置で、下方を向く屈曲部１８が屈曲形成されている。この屈曲部１８が形成されることで、水平突条１６の強度が向上するとともに、テーブル１を複数人で持ち上げて移動させる際等に、指を係止させておくことができるので、テーブル１の移動をスムーズに行うことができる。
【００２０】
この水平突条１６の上面における外側端面１６ａよりも内方位置からは、上向き突条１７が形成されている。この上向き突条１７は、ガイド部１５と同じく、連結フレーム１１の長手方向に沿って延設されている。尚、上向き突条１７の上下寸法は、水平突条１６の上面から天板２の肉薄外周縁部１０の下面である水平面７までの上下寸法と略同一となっている。尚、水平突条１６、上向き突条１７、屈曲部１８は、縦断面略長方形状をなす板状に形成されているとともに、その肉厚は、ブラケット１２及び連結フレーム１１の肉厚よりも薄肉となっている。
【００２１】
図３及び図４に示すように、ブラケット１２は、アルミ材により構成された上面及び下面が平面視正方形状に形成された、略直方体形状の部材である。このブラケット１２の水平方向から連結フレーム１１が連結される２つの内側面１２ｇには、連結フレーム１１の連結穴１１ｂの補形を成す連結凸部１４が突設されている。この連結凸部１４が設けられている２つの連結面は、連結フレーム１１のＢ−Ｂ断面視の外形と同形状に形成されている。
【００２２】
連結凸部１４の先端部には、ボルト１２が螺着される螺着孔１４ａが形成されており、この螺着孔１４ａは、ガイド部材１３によって斜め上方にガイドされるボルト１２を螺着可能なように、斜め下方に向けて傾斜して形成されている。
【００２３】
また、図２及び図６に示すように、ブラケット１２における２つの外側面１２ｈには、連結フレーム１１に設けられたものと同一構成であるガイド部１５と、水平突条１６と、上向き突条１７と、屈曲部１８とが、内側面１２ｇ方向から延設されて外側角部１２ｅにおいて互いに連設されており、ブラケット１２上面において平面視直角に形成されている。
【００２４】
ブラケット１２の外側面１２ｈ側に位置している外側角部１２ｅからは、テーブル１外方に突出する垂直突条２０が、ブラケット１２の上下方向に亘って形成されている。この垂直突条２０は、平面視正方形であるブラケット１２の内側面１２ｇに位置する内側角部１２ｄと、外側角部１２ｅを結ぶ対角線の延長上に向けて突設されている。
【００２５】
垂直突条２０の先端部は、一対の外側面である垂直面２０ａとして平面視直角に形成されており、図５〜図７に示すように、この一対の垂直面２０ａの上端は、ブラケット１２の外側縁部の上部において、直角を形成している一対の水平突条１６の外側端面１６ａと連続して略面一に形成されている。
【００２６】
つまり、図１に示されるように、支持フレーム３の水平凸状６の外側端面１６ａ及び該支持フレーム３に隣り合う脚体４それぞれの一方の垂直面２０ａにより、テーブル１の四方側面それぞれに、下向きコ字形をなす細帯状の端面（連続面（図６参照））が連続形成される。
【００２７】
さらに、これら細帯状の連続面の内側には、連結フレーム１１における横方向に延びる外側面１５ａ、ブラケット１２における外側面１２ｈ、脚体４における縦方向に延びる外側面により、下向きコ字形をなす帯状の外側面（図６参照）が連続形成されるため、テーブル１の四方側面それぞれの外観を同形態とすることができるため、使用者に違和感を与えることがない。
【００２８】
図４及び図６に示すように、連結フレーム１１とブラケット１２を連結させるには、ブラケット１２の連結凸部１４を連結フレーム１１の連結穴１１ｂに挿嵌する。そして、使用者が連結フレーム１１の下面側からガイド部材１３を介して螺着孔１４ａにボルト１２を締めることで、ブラケット１２と連結フレーム１１が連結される。このとき、螺着孔１４ａが斜め下方に向けて傾斜していることで、使用者は螺着孔１４ａが水平である場合に比べて容易にボルト１２を締めて連結フレーム１１とブラケット１２を連結させることができる。
【００２９】
このとき、ブラケット１２側と連結フレーム１１側のガイド部１５と、水平突条１６と、上向き突条１７と、屈曲部１８とが、ブラケット１２と連結フレーム１１とが連結されたことにより、それぞれ連結されて、支持フレーム３の一部として一体に形成される。
【００３０】
また、図４に示すように、ブラケット１２の下面には、ブラケット１２と脚体４の連結を行う、後述するロングボルト２３の先端部が螺着される上下方向を向く螺着孔１２ａが形成されている。更に、図２に示すように、ブラケット１２のテーブル１内方側には、天板２を下方から支持する天板支持部１２ｂが設けられており、ブラケット１２に連結フレーム１１が連結されると、これらブラケット１２と、連結フレーム１１と、天板支持部１２ｂと、の上面が面一となって天板下面５を支持する水平な天板支持面１９を構成する。
【００３１】
天板支持面１９は平面視四角枠状に形成されており、その水平方向の寸法は、天板下面５の水平寸法と略同一を成している。尚、図２に示すように、天板支持部１２ｂには、天板２が支持フレーム３の天板支持面１９上に載置された際に天板２を支持フレーム３に固定するボルトを挿通可能なボルト孔１２ｃが形成されている。
【００３２】
また、図９に示すように、ブラケット１２の下面の内側角部１２ｄ内側には、後述するケーブルカバー２１の上端部に挿嵌する固定ガイド突起１２ｆが設けられており、この固定ガイド突起１２ｆは、ケーブルカバー２１が水平方向に回動しやすいように略円筒形状に形成されている。
【００３３】
脚体４は、図１に示すように、支持フレーム３の四隅であるブラケット１２の下面に上端を連結される部材であって、下端に設けられた本実施例における接地部材としてのアジャスタ２２を調整することでテーブル１の高さを調整することができる。尚、本実施例で使用するアジャスタ２２は、特に図示しないが、上部にボルト部が設けられており、アジャスタ２２を回動させることで、このボルト部２２ａを脚体４に対して締緩させることでテーブル１の高さ調整を行う。
【００３４】
また、脚体４は、アルミ材により押出成形で製造される角管形状の部材であり、図３及び図６に示すように、横断底面視（平面視）で略正方形を成す角柱２７と、この角柱２７の外側角部４ｇから突設される垂直突条２０と、で構成されている。つまり、垂直突条２０は、脚体４の上下方向の全長に亘ってテーブル１の外方に向って突設される。これら角柱２７と垂直突条２０の内部は、垂直突条２０の基端部において仕切部２８によって互いに独立して中空状に形成されている。
【００３５】
また、脚体４内における一本の対角線上には、垂直突条２０の基端部である脚体４の下面からアジャスタ２２のボルト部２２ａが螺入される円筒状の本実施例における取付部としてのアジャスタ溝４ａと、脚体４の下面からロングボルト２３を挿通可能な円筒状のボルト溝４ｂと、天板２上のノートパソコン２５等の配線ケーブル２５ａを収納可能な配線挿通部としての円筒状のケーブル溝４ｃと、が脚体４の長手方向にわたり上下方向に延設されている。
【００３６】
尚、図６に示すように、垂直突条２０の角柱２７からの突出寸法Ｌ１は、角柱２７の横断面視の一辺の長さＬ２よりも短くなっている。更に尚、アジャスタ２２の半径Ｒ１は、平面視で外側端面１６ａから、はみ出ない程度の長さを有している。このため、アジャスタ２２の表面の大部分は脚体４によって外面視から隠蔽されているために目立たなくなっている。
【００３７】
図６及び図９に示すように、ケーブル溝４ｃは、脚体４の内側角部１２ｄに上下方向に沿うように形成された所定幅寸法の開口４ｄと、この開口４ｄの内側に連設された横断面視略Ｃ字形状に形成された周壁４ｅと、から構成されている。つまり、開口４ｄは、脚体４の内側角部４ｆを上下方向に切り欠くことにより該脚体４の上端から下端にかけて形成されており、その水平幅はケーブル溝４ｃの直径よりも幅狭に形成されている。
【００３８】
また、ケーブル溝４ｃ内には、ノートパソコン２５等の配線ケーブル２５ａを収納可能な閉塞部材としてのケーブルカバー２１が水平方向に回動自在に挿嵌されている。図８及び図９に示すように、ケーブルカバー２１は樹脂やゴム等で押出成形により製造された筒状の部材であり、ケーブル溝４ｃの周壁４ｅの内周面に摺接可能な摺接面としての外周面２１ａが、周壁４ｅの内周面に沿うように、上下方向に延びる開口部２１ｂが形成された横断面視略Ｃ字形状に形成されている。つまりこのケーブルカバー２１の外周面２１ａは、ボルト溝４ｂの周壁４ｅ内周面とほぼ同一曲率に形成されている。
【００３９】
ケーブルカバー２１の上端部及び下端部には、開口部２１ｂと連通した切欠２１ｃが形成されており、平面視略Ｃ字形状を形成するケーブルカバー２１の一端部は上下方向に突設された当接片２１ｄに形成されている。尚、ケーブルカバー２１の平面視における外径は、ケーブル溝４ｃの内径と略同一に形成されており、ケーブルカバー２１の内径は、固定ガイド突起１２ｆの外径と略同一に形成されている。
【００４０】
ボルト溝４ｂは、略正方形状の中央に配置されており、アジャスタ溝４ａとケーブル溝４ｃとは、ボルト溝４ｂを挟んで、それぞれが略正方形の対角線を成している対向角である内側角部４ｆと外側角部４ｇ側に配置されている。更に、アジャスタ溝４ａの近傍である外側角部４ｇには、正方形の対角線上に向けて突設される垂直突条２０が、脚体４の長手方向である上下方向に亘って形成されている。尚、この垂直突条２０は、ブラケット１２に形成された垂直突条２０と同一の寸法と形状を有している。
【００４１】
脚体４とブラケット１２を連結させる際には、先ず、脚体４の上面とブラケット１２の下面を当接させる。そして、ブラケット１２下面の固定ガイド突起１２ｆにケーブル溝４ｃ内のケーブルカバー２１の上端部を挿嵌させることで脚体４の上面を閉塞し、図４に示すように、ロングボルト２３をブラケット１２に螺着した後に、脚体４の下面を下部蓋体としてのカバー体２４によって閉塞する。
【００４２】
このカバー体２４は、特に図示はしないが、脚体４の下面形状とほぼ同一形状に形成されており、ロングボルト２３とアジャスタ溝４ａの下方に位置する部分には開口２４ａが形成されているとともに、ケーブルカバー２１の下端開口から嵌合される軸部としての固定ガイド突起２４ｂが設けられており（図９及び図１０参照）、開口２４ａを通してアジャスタ２２のボルト部２２ａをアジャスタ溝４ａに螺着させる。
【００４３】
尚、カバー体２４に形成された固定ガイド突起２４ｂはブラケット１２下面の固定ガイド突起１２ｆと同形状に形成されており、脚体４の下面を閉塞する際に、ケーブルカバー２１の下端開口に摺動自在に嵌合する。このようにすることで、ケーブルカバー２１はカバー体２４により下端が支持されているため、ケーブル溝４ｃ内に離脱不能に配置される。ケーブルカバー２１がケーブル溝４ｃ内に配置された状態において、当接片２１ｄは開口４ｄに配置されており、ケーブルカバー２１が水平方向に回動すると当接片２１ｄがケーブル溝４ｃの端部に当接して、ケーブルカバー２１の水平方向の回動を規制している。
【００４４】
また、脚体４の垂直突条２０先端部及び、各連結凸部１４の背面側には、カバー体２４を脚体４の下面に係止するための係止溝４ｈが形成されており、カバー体２４の上面に突設された上向き係止片２４ｃ（図４及び図６参照）を係止溝４ｈに挿嵌することにより、脚体４の下面に取り付けられる。
【００４５】
次に、前述のように構成されたテーブル１の組み付け状況について説明すると、まず、４本の脚体４により四隅が下方から支持フレーム３の天板支持面１９上に天板２を載置する。具体的には、図４及び図５に示すように、天板下面５を支持フレーム３の内方位置に構成された天板支持面１９に上方から載置する。
【００４６】
このように天板２の肉厚部２ａの下面５を、支持フレーム３上に形成された四角枠状の天板支持面１９上に載置した状態において、肉厚部２ａの側面である垂直面６が天板支持面１９の外周に亘って形成されたガイド部１５の内側面と対向することにより、天板２の水平方向の移動が規制されて位置決めされる。つまり、天板２は、肉厚部２ａを枠状のガイド部１５の内側に嵌合し、肉厚部２ａの下面５が枠状の天板支持面１９上に載置されることで、支持フレーム３上に支持される。
【００４７】
そして、肉薄外周縁部１０の下面である水平面７には、上向き突条１７の上面が当接する。この状態において、上向き突条１７が天板２のラウンド面８よりも外方に位置しているため、段部９、すなわち、肉厚部２ａの側面がその全周に亘って外面視から隠蔽されるため、前述したように切削加工等により形成された切削面（肉厚部２ａの側面）が外部に露呈されることがなく、また、切削面を仕上げ加工する手間が省ける。
【００４８】
さらに、水平突条１６の上面を隆起させてその上面を水平面７に近接させることなく、板状の上向き突条１７を水平突条１６の幅方向略中央位置から突設して近接させることで、上向き突条１７の内側と肉厚部２ａの側面との間に空間部が形成されるため（図４参照）、天板２を天板支持面１９上に載置する際において、水平突条１６の上面とラウンド面８や段部９等が接触することがなく、切削面の成型誤差等が空間部により許容されるため、下面５を確実に天板支持面１９上に載置させることができる。
【００４９】
また、水平突条１６の上面と水平面７とが上下方向に離間して配置されることで、肉薄外周縁部１０の下面である水平面７と水平突条１６との間に、側方に開放する水平な長溝、つまり目地が形成されるため、肉薄外周縁部１０の薄さが際立つ。
【００５０】
天板２を支持フレーム３に載置した後、天板支持部１２ｂのボルト孔１２ｃに下方から挿通されたボルトによって天板２を支持フレーム３に対して螺着し、天板２を支持フレーム３と一体に固定してテーブル１の組立が完了する。
【００５１】
次に、配線ケーブル２５ａを収納するケーブル溝４ｃとケーブルカバー２１について説明すると、先ず、図９及び図１０に示すように、ケーブルカバー２１をケーブル溝４ｃ内において水平方向に回動させることにより、開口４ｄが開閉されるようになっている。
【００５２】
具体的には、使用者がケーブルカバー２１の当接片２１ｄを把持することでケーブルカバー２１を回動させることができるようになっており、この回動範囲は当接片２１ｄによって開口４ｄの水平幅に規制されている。そして、この回動範囲内において、図９に示す開口４ｄがケーブルカバー２１の外周面２１ａによって閉塞された状態と、図１０に示す開口４ｄと開口部２１ｂが連通された状態を切り換えることができる。
【００５３】
また、使用者は、図１０に示す状態でケーブルカバー２１内に配線ケーブル２５ａを収納した後に、当接片２１ｄを把持し、ケーブルカバー２１を回動させることで開口４ｄを閉塞し、ケーブルカバー２１内に収納された配線ケーブル２５ａを外面視から隠蔽する。
【００５４】
更に、図９に示す配線ケーブル２５ａがケーブルカバー２１内に収納された状態においては、再び使用者が当接片２１ｄを把持してケーブルカバー２１を回動させることで容易に配線ケーブル２５ａをケーブルカバー２１内から取り出すことができる。また、ケーブルカバー２１は周壁４ｅ内周面に沿って回動するとともに、回動軸心等がケーブル溝４ｃ内に存在しないため、回動時に配線が邪魔になることがない。そして、開口４ｄの水平幅はケーブル溝４ｃの直径よりも幅狭に形成されている為に、配線ケーブル２５ａにテーブル内方側への力が働く場合であっても、安定して配線ケーブル２５ａをケーブルカバー２１内に収納することができる。
【００５５】
このように、閉塞部材としてのケーブルカバー２１の外周面２１ａ（摺接面）が周壁４ｅの内周面によりガイドされることで、周壁４ｅ内に挿嵌されたケーブルカバー２１が軸心周りに回動されるため、脚体４の外面に形成された開口４ｄをケーブルカバー２１により簡単に開閉することができるばかりか、開口４ｄの左右幅分の開閉ストロークを行うだけで、開口４ｄを長手方向にわたり開閉することができる。また、周壁４ｅ内にケーブルカバー２１を挿嵌するだけで周壁４ｅ内からのケーブルカバー２１の逸脱が規制されるため、係止片等を用いることなく、周壁４ｅ内にケーブルカバー２１を確実に保持しておくことができる。
【００５６】
また、周壁４ｅの下端開口を閉塞する下部蓋体であるカバー体２４が脚体４の下端に取り付けられているで、ケーブルカバー２１の周壁４ｅ内からの落下を防止されるとともに、カバー体２４には、ケースカバー２１の下端開口内に摺動自在に嵌合する固定ガイド突起２４ｂが突設されていることで、ケースカバー２１の下端が安定して回動自在に支持される。
【００５７】
また、配線挿通部であるケーブル溝４ｃの上端開口が支持フレーム３を構成するブラケット１２により閉塞されることで、支持フレーム３を利用してケーブル溝４ｃの上端開口を閉塞することができる。また、ケーブルカバー２１における開口部２１ｂの両端縁部のうち少なくとも一方に、脚体４の開口４ｄ端縁部に当接する当接片２１ｄが延設されていることで、当接片２１ｄが開口時における当接規制片となるとともに、ケーブルカバー２１の回動操作片として使用できる。
【００５８】
以上説明したように、本発明が適用された実施例としてのテーブル１にあっては、天板２の肉薄外周縁部１０に垂直突条２０が突設された脚体４を備えることで、天板２から荷重がかかる脚体４に対して、垂直突条２０が突設された方向の曲げ剛性を高めることがきるので、脚体４をその分細く形成することができる。その場合、垂直突条２０を天板２に対して外方を向いて突設させると、垂直突条２０がテーブル１の外側方より視認可能となるので、脚体４の細さを際立たせる視覚効果を得ることができ、テーブル１にデザイン性を得ることができる。
【００５９】
また、角柱２７の内側角部４ｆと外側角部４ｇを結ぶ対角線の延長線上に垂直突条２０が突設することによって、脚体４の天板２から荷重がかかる全方向において曲げ剛性を高めることができるので、安定して天板２を支持することができる。つまり角柱２７の側面から垂直突条を突設する場合と比較して、角柱２７の外側角部４ｇから垂直突条２０を突設させる場合の方が、脚体４に対する前後左右の全方向の曲げ剛性を高めることがきる。
【００６０】
また、垂直突条２０の角柱２７からの外方に向けての突出寸法は、角柱２７の横断平面視における一辺の長さよりも短く形成されているとともに、垂直突条２０の基端部（角柱２７の外側角部４ｇ）に、脚体４をアジャスタ２２によって自立させるためのアジャスタ溝４ａが設けられていることによって、アジャスタ溝２２が設けられる位置がテーブル１の外方側寄りとなるので、テーブル１を安定して支持することができる。
【００６１】
また、脚体４と支持フレーム３との連結状態において、水平突条１６と垂直突条２０の端部同士が連続し、水平突条１６の先端部と垂直突条２０の外側端部が面一となる連続面を形成することによって、支持フレーム３の水平突条１６と、脚体４の垂直突条２０とにより、支持フレーム３や脚体４を太くすること無く剛性を高めることができるばかりか、脚体４と支持フレーム３との連結状態において水平突条１６と垂直突条２０とが連続することにより、テーブル１のデザイン性が向上する。
【００６２】
また、角柱２７と垂直突条２０の内部に形成された中空を仕切部２８により仕切ることによって、脚体４を軽量化しつつ、強度を確保することができる。
【００６３】
以上、本発明の実施例を図面により説明してきたが、具体的な構成はこれら実施例に限られるものではなく、本発明の要旨を逸脱しない範囲における変更加があっても本発明に含まれる。
【００６４】
例えば、前記実施例では、家具の一例であるテーブル１の脚体４に本発明を適用して説明したが、脚体４によって支持される家具であれば、ベッドやソファー等であってもよく、或るいは、家具の他の例である机やワゴン等の脚体にも適用可能である。
【００６５】
また、支持フレーム３を、平面視長方形を成す方形枠状に形成したが、例えばテーブル１を円卓とし、平面視円形状の天板を支持可能なように、支持フレームを平面視円形を成す枠状に形成してもよい。つまり、支持フレーム３は平面視枠状に配置されるものであれば、その形状は任意に変更可能である。
【００６６】
また、前記実施例では、支持フレーム３を、平面視長方形を成す方形枠状に形成し、この支持フレーム３を、支持フレーム３の四隅の下方から計４本の脚体４によって支持したが、テーブル１の天板２が充分に小さく、且つ軽ければ、支持フレーム３を１本の脚体４によって片持ち支持してもよい。
【００６７】
また、前記実施例では、支持フレーム３が、連結フレーム１１とブラケット１２とから構成されていたが、これらは一体で形成されていてもよいし、あるいは、ブラケット１２が脚体４の上部に一体に形成され、該脚体４の上端と連結フレーム１１とで支持フレーム３が構成されるようにしてもよい。
【００６８】
また、前記実施例では、支持フレーム３をアルミ材により製造された部材により構成したが、天板２の重量を支持可能であれば材質はステンレス等の他の金属部材や、樹脂でもよい。
【００６９】
また、前記実施例では、脚体４及びブラケット１２にブラケット１２の内側面に位置する内側角部１２ｄと、外側角部１２ｅを結ぶ対角線の延長上に向けて突設される垂直突条２０を形成したが、脚体を横断面視円形状に形成し、この円形の直径の延長上に向けて垂直突条２０を形成してもよい。
【００７０】
また、前記実施例では、水平突条１６は、連結フレーム１１及びブラケット１２の上面外縁部に突設されたガイド部１５の外側面上部から外方に突設されていたが、連結フレーム１１及びブラケット１２の本体部外側面から突設されていてもよい。
【図面の簡単な説明】
【００７１】
【図１】本発明が適用されたテーブルの全体像を示す斜視図である。
【図２】図１のテーブルを示す要部拡大組立斜視図である。
【図３】脚体を下方から見上げた状態を示す横断底面図である。
【図４】図３のＡ−Ａ断面図である。
【図５】図３のＢ−Ｂ断面図である。
【図６】図４のＣ−Ｃ断面図である。
【図７】テーブルの角部の形状を示す斜視図である。
【図８】ケーブルカバーを示す斜視図である。
【図９】（ａ）は、図９（ｃ）のＤ−Ｄ断面図であり、（ｂ）は、図９（ｃ）のＥ−Ｅ断面図であり、（ｃ）は脚体におけるケーブル溝の開口が閉塞されている状態を示す一部破断正面図である。
【図１０】（ａ）は、図１０（ｃ）のＦ−Ｆ断面図であり、（ｂ）は、図１０（ｃ）のＧ−Ｇ断面図であり、（ｃ）は、脚体におけるケーブル溝が開放されている状態を示す一部破断正面図である。
【符号の説明】
【００７２】
１                テーブル（家具）
２                天板（家具本体）
３                支持フレーム（連結フレーム）
４                脚体（脚柱）
４ａ              アジャスタ溝（取付部）
４ｆ              内側角部（対向角）
４ｇ              外側角部（対向角）
１０              肉薄外周縁部
１１              連結フレーム（フレーム，支持フレーム）
１２              ブラケット（フレーム，支持フレーム）
１２ｄ            内側角部
１２ｅ            外側角部
１６              水平突条
２０              垂直突条
２２              アジャスタ（接地部材）
２７              角柱
２８              仕切部
【図１】
2009153886.tif 000003
【図２】
2009153886.tif 000004
【図３】
2009153886.tif 000005
【図４】
2009153886.tif 000006
【図５】
2009153886.tif 000007
【図６】
2009153886.tif 000008
【図７】
2009153886.tif 000009
【図８】
2009153886.tif 000010
【図９】
2009153886.tif 000011
【図１０】
2009153886.tif 000012